(57)【要約】      （修正有）【課題】血圧測定デバイス用の制御信号を供給するための装置並びに対応する方法を提供する。【解決手段】血圧測定デバイス用の制御信号を供給するための装置１８であって、患者１２の健康状態を示す健康状態パラメータを取得するための入力インターフェースと、健康状態パラメータに基づいて血圧測定デバイス１４の１つ又は複数の動作設定を決定するための処理ユニットであって、１つ又は複数の動作設定が、血圧測定デバイスで調節できるパラメータであって、血圧測定の精度及び血圧測定による患者の快適性に影響する当該パラメータを含む処理ユニットと、１つ又は複数の動作設定に基づいて血圧測定を行うため血圧測定デバイス用の制御信号を供給する制御インターフェースとを含む。【選択図】図１
2020195813.tif 000002
【特許請求の範囲】
【請求項１】
患者の健康状態を示す健康状態パラメータを取得するための入力インターフェースと、
前記健康状態パラメータに基づいて血圧測定デバイスの１つ又は複数の動作設定を決定するための処理ユニットであって、前記１つ又は複数の動作設定が、前記血圧測定デバイスにより血圧測定を行うときに前記血圧測定デバイスで調節できるパラメータであって、前記血圧測定の精度及び前記血圧測定による患者の快適性に影響する当該パラメータを含む、処理ユニットと、
前記１つ又は複数の動作設定に基づいて血圧測定を行うための前記血圧測定デバイス用の制御信号を供給する制御インターフェースとを含む、血圧測定デバイス用の制御信号を供給するための装置。
【請求項２】
前記制御インターフェースは、患者の肢に当てる膨張式カフと、前記膨張式カフの圧力を示す圧力信号を供給する圧力センサとを含む血圧計用の制御信号を供給し、
前記処理ユニットは、測定中に前記膨張式カフの最高圧力を示すパラメータ、測定中に前記膨張式カフが膨張する持続時間を示すパラメータ、測定中に加えられる圧力の積分を示すパラメータ、及び検出される心拍数を示すパラメータのうちの少なくとも１つを含む１つ又は複数の動作設定を決定する、
請求項１に記載の装置。
【請求項３】
前記処理ユニットは、
前記健康状態パラメータが患者の重篤でない健康状態を示すときに、低い精度と患者の高い快適性とに関連する１つ又は複数の動作設定を決定し、
健康状態パラメータが患者の健康状態の悪化を示すときに、高い精度と患者の低い快適性とに関連する１つ又は複数の動作設定を決定する、
請求項１に記載の装置。
【請求項４】
前記入力インターフェースは、患者の健康状態を所定のスケールで示すリスクスコアを取得し、所定の閾値よりも低い前記リスクスコアは患者の重篤でない健康状態を示し、前記所定の閾値よりも高い前記リスクスコアは患者の健康状態の悪化を示す、請求項３に記載の装置。
【請求項５】
前記制御インターフェースは、患者の肢に当てる膨張式カフと、前記膨張式カフの圧力を示す圧力信号を供給する圧力センサとを含む血圧計用の制御信号を供給し、
前記処理ユニットは、前記膨張式カフの収縮中に、患者の収縮期血圧が標準的方法、特に聴診法又はオシロメトリック法に基づいて推測されることにより、前記高い精度及び患者の前記低い快適性に関連する１つ又は複数の動作設定を決定する、
請求項３に記載の装置。
【請求項６】
前記制御インターフェースは、患者の肢に当てる膨張式カフと、前記膨張式カフの圧力を示す圧力信号を供給する圧力センサとを含む血圧計用の制御信号を供給し、
前記処理ユニットは、前記患者の収縮期血圧が、
カフ膨張中の前記圧力信号の信号包絡線の外挿、
カフ膨張中の前記圧力信号の信号包絡線からの拡張期血圧及び平均動脈圧の抽出、並びに、
カフ膨張中の前記圧力信号の信号包絡線からの拡張期血圧の抽出、及び前記患者のサロゲート血圧測定値に対応する前記患者のバイタルサイン、特に、少なくとも１つの追加の信号、特に光電式容積脈波記録信号及び／若しくは心電図から導出された脈波伝播時間又は脈波到達時間からの平均動脈圧の抽出
のうちの少なくとも１つに基づいて推測されることにより、前記低い精度及び患者の前記高い快適性に関連する１つ又は複数の動作設定を決定する、
請求項３に記載の装置。
【請求項７】
前記入力インターフェースは、患者のバイタルサインを示す少なくとも１つの入力信号を取得し、前記装置は、前記少なくとも１つの入力信号に基づいて患者の健康状態を示す健康状態パラメータを決定するための健康評価ユニットをさらに含む、請求項１に記載の装置。
【請求項８】
前記入力インターフェースは、
前記血圧測定デバイスから患者の血圧を示す入力信号を取得し、及び／又は、
入力信号と、対応する正確度インジケータ、特に前記バイタルサインに関する前記入力信号の妥当性を示す標準偏差とを取得し、前記正確度インジケータはそれぞれの入力信号について予め定義されているか、又は現在の血圧測定値に基づいて連続的に更新される、
請求項７に記載の装置。
【請求項９】
前記処理ユニットが、前記入力信号及び対応する前記正確度インジケータに基づいて前記１つ又は複数の動作設定を決定することと、
前記健康評価ユニットが、前記入力信号及び前記対応する正確度インジケータに基づいて前記健康状態パラメータを決定することとのうちの少なくとも一方を実行する、
請求項８に記載の装置。
【請求項１０】
前記入力インターフェースは、前記少なくとも１つの入力信号に加えて、患者の病歴を示す、患者の医療記録データを取得し、
前記健康評価ユニットは、前記少なくとも１つの入力信号に加えて、患者の前記医療記録データに基づいて前記健康状態パラメータを決定する、
請求項７に記載の装置。
【請求項１１】
前記入力インターフェースは、血圧、血液酸素飽和度、体温、呼吸ガス中の二酸化炭素濃度、心拍数、脈波到達時間、脈波伝播時間、脈拍形態、又は患者の呼吸頻度を示す入力信号を取得する、請求項７に記載の装置。
【請求項１２】
前記入力インターフェースが、前記少なくとも１つの入力信号に加えて、所定の治療方針を示すプロトコルパラメータを取得し、
前記処理ユニットは、前記入力信号及び前記プロトコルパラメータに基づいて前記１つ又は複数の動作設定を決定する、
請求項７に記載の装置。
【請求項１３】
患者のバイタルサインを示す少なくとも１つの入力信号を供給するための少なくとも１つのバイタルサインセンサと、
前記少なくとも１つの入力信号に基づいて患者の健康状態を示す健康状態パラメータを決定するための健康評価ユニットと、
請求項１に記載の装置と、
患者の血圧測定を行うための血圧測定デバイスと、
決定された前記健康状態パラメータ及び／又は患者の血圧をユーザ、特に医師に供給するためのユーザインターフェースと
を含む、患者をモニタリングするためのシステム。
【請求項１４】
患者の健康状態を示す健康状態パラメータを取得するステップと、
前記健康状態パラメータに基づいて血圧測定デバイスの１つ又は複数の動作設定を決定するステップであって、前記１つ又は複数の動作設定が、前記血圧測定デバイスにより血圧測定を行うときに前記血圧測定デバイスで調節できるパラメータであって、前記血圧測定の精度及び前記血圧測定による患者の快適性に影響する当該パラメータを含むステップと、
前記１つ又は複数の動作設定に基づいて血圧測定を行うための血圧測定デバイス用の制御信号を供給するステップと
を含む、血圧測定デバイス用の制御信号を供給するための方法。
【請求項１５】
コンピュータプログラムがコンピュータで実行されるとき、請求項１４に記載の方法の前記ステップを前記コンピュータに実行させるためのプログラムコード手段を含む、コンピュータプログラム。
【発明の詳細な説明】
【技術分野】
【０００１】
本発明は、血圧測定デバイス用の制御信号を供給するための装置及び方法に関する。さらに、本発明は、患者をモニタリングするためのシステムに関する。
【背景技術】
【０００２】
患者の悪化のかすかな兆候を早期に発見することが、様々なモニタリング状況で対処すべき主な問題の１つと考えられている。Ｐｈｉｌｉｐｓ  Ｈｅａｌｔｈｃａｒｅは、一般病棟用のＰｈｉｌｉｐｓモニタＭＰ５ＳＣを提供しており、これはＳｐＯ２、血圧、体温、及び呼吸ガスＣＯ２を取得する。このモニタを、スポットチェックで、且つ連続モニタリングのために使用することができる。
【０００３】
低重症度の自動スポットチェックモニタリングのために、例えば、無線センサを利用することができる。例えば、患者の脈拍、呼吸、並びに姿勢及び活動情報を検出するための、心尖位置にある加速度計を、上腕のカフベースの血圧モニタと手首のＳｐＯ２センサと組み合わせることができる。これらのセンサにより、患者の生命を高レベルの自由度及び快適性で、自動でスポットチェックモニタリングすることができる。
【０００４】
モニタリングすべき１つの重要なバイタルサインは血圧である。患者の血圧を侵襲的及び非侵襲的に測定するための様々なモニタリング手法が存在する。
【０００５】
非侵襲的血圧（ＮＩＢＰ）測定は、主に、断続的な測定のみを可能にする血圧計の閉塞アームカフに基づく。この手順は患者にとって不快となる。患者の肢が外圧により圧縮され、その処置により患者の快適性が低下し、又はさらには患者に痛みを与えるからである。集中治療室用に元々開発された自動ＮＩＢＰ測定は、測定の正確度を非常に重視しており、患者の快適性の側面をあまり重視していないことが多い。
【０００６】
例えば、多くの場合にＮＩＢＰ測定の受容が比較的少ないことが、Ｂｅｌｔｍａｎ他の「Ａｃｃｅｐｔａｎｃｅ  ａｎｄ  Ｓｉｄｅ  Ｅｆｆｅｃｔｓ  ｏｆ  Ａｍｂｕｌａｔｏｒｙ  Ｂｌｏｏｄ  Ｐｒｅｓｓｕｒｅ  Ｍｏｎｉｔｏｒｉｎｇ」、Ｊ．  Ｈｕｍａｎ  Ｈｙｐｅｒｔｅｎｓｉｏｎ、１９９６に見出される。これは、膨張（持続時間、ピーク圧力）により生じる痛み、カフの下の皮膚への刺激、血腫及び／又は睡眠障害などの副作用が原因である。受容を高めるための考えられる手段としては、全測定時間の短縮、最高カフ圧の低下、及び／又は経時的な圧力の積分の減少が挙げられる。
【０００７】
米国特許出願公開第２００１／００１２９１６（Ａ１）号には、血圧測定デバイスが提示されている。そのデバイスは圧力カフを有し、その膨張は自動で行われ、評価制御ユニットにより制御されて、特に夜間に患者の快適性及び睡眠を侵害することなく患者の血圧の連続モニタリングを可能にする。このデバイスはまた、ＥＣＧデバイスと、カフの圧力を検知するためのセンサとを含む。動作の第１のモードで、制御評価ユニットは推定血圧値を脈波伝播時間から計算する。各々の計算された脈波伝播時間は、ＥＣＧデバイスにより検出された心拍と圧力センサにより検出された対応するカフ圧変化との間の経過時間である。第１のモードでの動作中に血圧の急上昇が見られた場合、デバイスは第２の動作モードに切り替わり、その間に絶対血圧値を決定する。
【０００８】
しかしながら、依然として、既存の血圧測定手法並びにモニタリング手法を、患者の快適性に関して向上させる必要がある。
【０００９】
米国特許出願公開第２０１３／０１５８４１７（Ａ１）号には、自動の非侵襲的血圧測定のための方法、装置、及びコンピュータプログラムが開示されている。非侵襲的血圧決定ユニットが設けられた患者モニタにおける自動血圧決定の特異性を向上させるために、交感神経活動を示す生理学的指標を被験者から導出し、生理学的指標の変動をモニタリングし、変動が所定の条件を満たしたときに血圧決定を開始するように血圧決定ユニットに指示する。
【００１０】
ＥＰ１１２７５３８Ａ１には、自動血圧モニタリングの手法が開示されている。自動血圧計が、患者の心拍数の信頼性（ＨＲＶ）の大幅な変化を検出したときに血圧決定を引き起こす。ＨＲＶをＮＩＢＰ信号から直接測定するか、又はマルチパラメータモニタの使用時に、ＨＲＶをＮＩＢＰ信号のＥＣＧ信号から測定することができる。ＨＲＶは連続的にモニタリングされ、基線ＨＲＶは基線血圧値により修正される。ＨＲＶの変化がディスプレイに連続的に表示されて、臨床医がＮＩＢＰ測定を開始するかどうかを決定し、他方で、臨床医による介入なしで、ＨＲＶの変化に応じてＮＩＢＰ測定を自動で引き起こすことができる。或いは、患者モニタは、ＨＲＶと血圧変化との相関関係を「学習」し、ＨＲＶの大幅な変化が生じたときに臨床医に警告するだけである。
【発明の概要】
【発明が解決しようとする課題】
【００１１】
本発明の目的は、血圧測定デバイス用の制御信号を供給するための装置並びに対応する方法を提供することである。さらに、本発明の目的は、患者をモニタリングするためのシステムを提供することである。
【課題を解決するための手段】
【００１２】
本発明の第１の態様において、血圧測定デバイス用の制御信号を供給するための装置は、患者の健康状態を示す健康状態パラメータを取得するための入力インターフェースと、健康状態パラメータに基づいて血圧測定デバイスの１つ又は複数の動作設定を決定するための処理ユニットであって、１つ又は複数の動作設定が、血圧測定デバイスにより血圧測定を行うときに血圧測定デバイスで調節できるパラメータであって、血圧測定の精度及び血圧測定による患者の快適性に影響する当該パラメータを含む、処理ユニットと、１つ又は複数の動作設定に基づいて血圧測定を行うため血圧測定デバイス用の制御信号を供給する制御インターフェースとを含む。
【００１３】
本発明のさらなる態様において、血圧測定デバイス用の制御信号を供給するための方法が提示される。方法は、患者の健康状態を示す健康状態パラメータを取得するステップと、健康状態パラメータに基づいて血圧測定デバイスの１つ又は複数の動作設定を決定するステップであって、１つ又は複数の動作設定が、血圧測定デバイスにより血圧測定を行うときに血圧測定デバイスで調節できるパラメータであって、血圧測定の精度及び血圧測定による患者の快適性に影響する当該パラメータを含むステップと、１つ又は複数の動作設定に基づいて血圧測定を行うための血圧測定デバイス用の制御信号を供給するステップとを含む。
【００１４】
本発明の別の態様において、患者をモニタリングするためのシステムが提示される。システムは、患者のバイタルサインを示す少なくとも１つの入力信号を供給するための少なくとも１つのバイタルサインセンサと、少なくとも１つの入力信号に基づいて患者の健康状態を示す健康状態パラメータを決定するための健康評価ユニットと、前述したような装置と、患者の血圧測定を行うための血圧測定デバイスと、決定された健康状態パラメータ及び／又は患者の血圧をユーザ、特に医師に供給するためのユーザインターフェースとを含む。
【００１５】
本発明のさらなる態様において、コンピュータプログラムがコンピュータで実行されるとき、本明細書に開示された方法のステップをコンピュータに実行させるためのプログラムコード手段を含むコンピュータプログラムだけでなく、プロセッサにより実行されたときに本明細書に開示された方法を実行させるコンピュータプログラム製品を記憶した非一過性のコンピュータ可読記録媒体が提供される。
【００１６】
本発明の好ましい実施形態は、従属請求項において定義される。特許請求される方法、システム、並びにコンピュータプログラム及び媒体は、特許請求される装置及び従属請求項で定義されるものと同様及び／又は同一の好ましい実施形態を有することを理解されたい。
【００１７】
一方で、血圧測定は患者にとって不快であることが多い。他方で、患者の病状が重篤でない限り、血圧測定が提供する測定された血圧に関する最高の精度又は正確度は、モニタリング状況中に必ずしも必要ではない。ほとんどの場合、患者が健康である限り低精度の測定を行うだけで十分である。場合によって、例えば患者の病状が突然悪化したときのみ、高精度の測定を行うことが必要となる。そして、非常に正確な血圧測定を提供して、患者又は医療関係者が適切に対応できるようにする必要がある。
【００１８】
本発明は、測定の精度と血圧測定による患者の快適性との兼ね合いを表す血圧測定デバイスの動作設定に基づいて血圧測定を行うというアイデアに基づく。言い換えると、血圧測定デバイスの動作設定を、患者の現在の健康状態に従って適応させる。特に収縮期血圧及び／又は拡張期血圧を測定する。
【００１９】
患者の健康状態パラメータを、例えばセンサシステム、又は臨床情報システム、又は医師若しくは他の医療関係者による入力から取得する。この健康状態パラメータは、患者の健康状態、すなわち、患者が現在どのように健康であるか、又は患者の病状がどのように良好であるかを示す。特に、健康状態パラメータは、患者の健康、又は患者が患っている病状の重症度を示す。例えば、健康状態パラメータを、患者のバイタルサイン及び／又は患者の病歴に基づいて決定する。
【００２０】
健康状態パラメータは、血圧測定デバイスの１つ又は複数の動作設定を決定するための基礎を形成する。血圧測定デバイスの動作設定は、血圧測定を行うときにデバイスで調節される任意のパラメータを参照する。血圧測定デバイスは動作設定に基づいて制御される。例えば、測定頻度、持続時間、血圧測定値を測定信号から導出する際に基づくアルゴリズムなどのパラメータを調節することができる。動作設定は、使用される血圧測定デバイスのタイプによって決まる。本明細書で使用される場合、血圧測定デバイスの動作設定は、特に自動測定デバイスの調節可能なパラメータを参照する。しかしながら、例えば医師により操作される手動の血圧測定デバイスの動作設定を提供することも可能である。
【００２１】
どのように血圧測定デバイスを動作させるか、すなわちどの動作設定に基づくかによって、患者は多かれ少なかれ影響され、すなわち測定により生じる患者の快適性が低くなる又は高くなる。しかしながら、測定の精度、すなわち測定血圧に関する正確度又は妥当性も、選択された動作設定に影響される。
【００２２】
本発明の状況において、動作設定は、一方で血圧測定の精度に関連し、他方で血圧測定が行われるときに生じる患者の快適性に関連する場合、特に関連性がある。選択された動作設定により、ある測定精度及びある患者の快適性が得られる。
【００２３】
例えば、血圧計を用いて行われる血圧測定の状況で、動作設定としては、患者の肢に加えられる最高圧力、経時的な圧力の積分、測定の持続時間、検出された心拍数、又はこれら若しくは他のパラメータの組合せが挙げられる。測定に時間がかかりすぎる場合、又は患者の肢に高い圧力が加えられる場合、患者の妨げとなる（すなわち、患者の快適性が低い）。夜間の低頻度の測定は支障が少ない（快適性が高い）。これらの動作設定に従ってデバイスを動作させ、これはこれらの動作設定を選択できることを意味する。
【００２４】
本発明によれば、血圧測定デバイスにより行われる血圧測定の精度と血圧測定による患者の快適性との両方に関連する血圧測定デバイスの動作設定を最適に決定することを提案する。動作設定は、測定精度と患者の快適性との兼ね合いで決定される。
【００２５】
患者の健康状態に応じて、高精度又は低精度の測定を行う必要がある。一方で、患者の調子が悪く、正確に又は常にモニタリングする必要がある場合、測定の精度を意図的に高める（これにより患者の快適性は低下する）。他方で、正確度の低い測定が適切である場合には、行う血圧測定の精度を低下させることも可能である。例えば、患者が既に快方に向かっている場合、患者の測定血圧に関して非常に高い測定頻度で、且つそれによる高い正確度で測定する必要はない。
【００２６】
処理ユニットは、所定の関数に基づいて、又はルックアップテーブル又は適合若しくは適応関数に基づいて、ユーザ及び／又は医師による入力を用いて、又は入力なしで、１つ又は複数の動作設定を導出する。
【００２７】
その後、決定された動作設定を使用して、血圧測定デバイスを制御する。制御インターフェースは、制御信号を供給することにより血圧測定デバイスを制御する。一方で、血圧測定デバイスが制御インターフェースを介して本発明の装置と直接通信し、決定された動作設定に従って血圧測定デバイスをリアルタイムで制御することができる。他方で、制御信号を遠隔で、又は後の時点で使用することもできる。
【００２８】
本明細書で使用される場合、血圧測定デバイス用の制御信号とは、血圧測定デバイスにより解釈され、血圧測定デバイスの動作設定を決定された動作設定に従って設定する信号を特に指す。
【００２９】
従来の血圧測定デバイスの制御手法と比較して、本発明は、血圧測定デバイスの正確度を調節することにより、又は血圧測定の正確度若しくは精度を調節するための制御信号を供給することにより、患者の快適性を高めることができる。最低限必要な精度（及び最大限の患者の快適性）に関連する動作設定を提供することが想定される。
【００３０】
特に、より正確な測定が不要な状況で測定精度を調節することは奇妙である。本発明の１つの応用領域は、例えば一般病棟施設におけるモニタリング設定である。そのような設定では、通常、意図した患者のリスク分類性能を有する病院専用の早期警告スコアリング（ＥＷＳ）システムに十分な精度で、血圧測定を報告すればよい。そのような状況において、本発明は、患者の快適性を高めた同様のＥＷＳ通知性能を維持可能な、適応状況特定の測定精度を提案する。例えば、そのようなシステムでは、決定されるリスクスコアに、より高い精度が影響を与えない場合には、このより高い精度は不要である。したがって、測定精度と患者の快適性との兼ね合いが得られる。
【００３１】
前述したような装置の第１の実施形態において、処理ユニットは、健康状態パラメータが患者の重篤でない健康状態を示すときに、低い精度と患者の高い快適性とに関連する１つ又は複数の動作設定を決定し、健康状態パラメータが患者の健康状態の悪化を示すときに、高い精度と患者の低い快適性とに関連する１つ又は複数の動作設定を決定するように構成される。したがって、患者が重篤でない健康状態の場合、すなわち患者の病状が次に悪化しそうでない場合、低い精度及び患者の高い快適性に関連する動作設定が決定される。言い換えると、患者の調子がよいと決定された場合、血圧測定デバイスを制御する制御信号を供給して、低い精度の血圧測定を行うが、これは患者に対して支障が少なく、すなわち患者の高い快適性をもたらす。これに対して、患者の健康状態が悪化しており、患者を高い正確度でモニタリングする必要がある場合、血圧測定が患者に苦痛を与える、すなわち、患者の低い快適性を代償にして高い精度の血圧測定を行うことを受容する。これにより、患者の快適性と必要な測定精度との最適な兼ね合いが得られる。「低い精度及び高い精度」という用語は、行われた血圧測定が患者の実際の血圧に関してどれだけ妥当であるかについて、この血圧測定の正確度の間の定性的関係を特に定義する。
【００３２】
別の実施形態において、入力インターフェースは、患者の健康状態を所定のスケールで示すリスクスコアを取得するように構成され、所定の閾値よりも低いリスクスコアは患者の重篤でない健康状態を示し、所定の閾値よりも高いリスクスコアは患者の健康状態の悪化を示す。患者の健康状態を測定する１つの可能性は、所定のスケールのリスクスコアを使用することによるものである。例えば、患者の健康状態を１〜１０のスケールで示し、１は患者の調子が非常によく、近い将来に患者の病状が悪化する可能性が極めて低いことを示し、１０は患者の病状が非常に重篤であり、患者の病状をできるだけ正確にモニタリングして患者の健康状態のいかなる悪化も見逃さないようにする必要があることを示す。そして、患者の重篤でない健康状態と健康状態の悪化とを区別する閾値を定義することができる。リスクスコアが閾値よりも高いか否かに応じて、高精度又は低精度及び患者の低快適性又は高快適性に関連する動作設定が決定される。そのようなリスクスコアは、病院のＥＷＳシステムで使用されることが多い。本実施形態は、ＥＷＳシステムの出力に基づいて血圧測定デバイスを制御するための簡単な制御手法に対応する。
【００３３】
さらに別の実施形態において、制御インターフェースは、患者の肢に当てる膨張式カフと、膨張式カフの圧力を示す圧力信号を供給する圧力センサとを含む血圧計用の制御信号を供給するように構成され、処理ユニットは、膨張式カフの収縮中に、患者の収縮期血圧が標準的方法、特に聴診法又はオシロメトリック法に基づいて推測されることにより、高い精度及び患者の低い快適性に関連している１つ又は複数の動作設定を決定するように構成される。１つの一般的なタイプの血圧測定デバイスは血圧計である。この血圧計の膨張式カフを患者の腕、脚、指などの肢に当てることができる。その後、膨張式カフの圧力を示す圧力信号から患者の血圧を導出することができる。定期的に、脈拍がカフを通らなくなる最高圧力まで膨張式カフを膨張させる必要がある動作設定に基づいて、そのようなデバイスを動作させる。その後、圧力をゆっくりと低下させて測定を行う。膨張式カフの収縮中に、血圧計の膨張式カフの圧力センサにより供給される圧力信号から患者の血圧を決定するための異なる標準的方法が存在する。聴診法では、通常、聴診器を使用して、第１のコロトコフ音が聞こえたときの圧力として収縮期血圧（ＳＢＰ）を導出する。その後、拡張期動脈圧（ＤＢＰ）で音が聞こえなくなる（第５のコロトコフ音）までカフ圧を緩める。或いは、オシロメトリック法は、血流、すなわち脈拍の振動により生じる、血圧計のカフ圧の振動を観察することを伴う。圧力信号が自動で解釈され、収縮期血圧及び拡張期血圧の値が得られる。そのような標準的方法により、比較的高い正確度が得られる。
【００３４】
実施形態において、制御インターフェースは、患者の肢に当てる膨張式カフと、膨張式カフの圧力を示す圧力信号を供給する圧力センサとを含む血圧計用の制御信号を供給するように構成され、処理ユニットは、患者の収縮期血圧が、カフ膨張中の圧力信号の信号包絡線の外挿、カフ膨張中の圧力信号の信号包絡線からの拡張期血圧及び平均動脈圧の抽出、並びに、カフ膨張中の圧力信号の信号包絡線からの拡張期血圧の抽出、及び患者のサロゲート血圧測定値に対応する患者のバイタルサイン、特に、少なくとも１つの追加の信号、特に光電式容積脈波記録信号及び／若しくは心電図から導出された脈波伝播時間又は脈波到達時間からの平均動脈圧の抽出のうちの少なくとも１つに基づいて推測されることにより、低い精度及び患者の高い快適性に関連している１つ又は複数の動作設定を決定するように構成される。
【００３５】
本実施形態によれば、１つの主な利点は、正確度が低い測定（低精度及び患者の高快適性）のみを行う必要がある場合に、最高カフ圧を低下させることができる。カフ膨張中に圧力信号の信号包絡線を外挿することにより、収縮期血圧の推定値を取得することができる。本実施形態によれば、取得された血圧測定値が十分に正確であると見なされるとすぐに、カフ膨張を停止させることができる。例えば、ある心拍数が検出されるまで数秒間のみ、カフを膨張させる。カフをより長い時間膨張させると、正確度が高まる。また、前述したように、カフ膨張中に圧力信号の信号包絡線から拡張期血圧及び平均動脈圧を抽出することができる。その後、拡張期血圧と平均動脈圧との関係に基づいて収縮期血圧を計算することができる。再び、血圧測定デバイスの選択された動作設定に応じて、高い精度又は低い精度及び患者の低い快適性又は高い快適性の測定を得ることができる。さらにまた、カフ膨張中に圧力信号の信号包絡線から拡張期圧力を抽出し、サロゲート血圧測定値に対応する患者のバイタルサインから平均血圧を抽出することができる。
【００３６】
患者の異なるバイタルサインが、患者の血圧についての情報を伝える。これらはサロゲート血圧測定値と呼ばれ、患者の平均血圧に関連する情報の導出を可能にする。そのようなサロゲート血圧測定値は、血圧測定デバイスに接続されるか、又はモニタリングシステムの一部であるバイタルサインセンサから取得される追加の信号から入手可能である。例えば、追加の信号（例えば、光電式容積脈波記録信号又はＥＣＧ信号）から導出された脈波伝播時間又は脈波到達時間をサロゲート血圧測定値として使用する。その後、収縮期血圧を、平均動脈圧、拡張期血圧、及び収縮期血圧の間の一定の関係に基づいて計算することができる。本実施形態は、カフを完全に膨張させる必要がなく、したがって時間の節約になり、患者の肢に加えられるカフの最高圧力を低下させるため、患者の快適性を高めることから、特に有利である。
【００３７】
さらなる実施形態において、入力インターフェースは、患者のバイタルサインを示す少なくとも１つの入力信号を取得するように構成され、装置は、少なくとも１つの入力信号に基づいて患者の健康状態を示す健康状態パラメータを決定するための健康評価ユニットをさらに含む。健康状態パラメータに加えて、患者のバイタルサインを示す入力信号を取得する。バイタルサインを示す取得した入力信号が健康状態パラメータを表すものと考えることもできる。装置は入力インターフェースを含み、これを介して少なくとも１つの入力信号が取得される。そのような入力信号を、患者のバイタルサインを測定するためのデバイスから取得する。そのような入力信号を、データベースから、又は医療関係者による入力から取得してもよい。好ましくは、入力信号は、患者のバイタルサインに関連する、測定された経時的なパラメータを指す。そのような入力信号を取得するためのデバイスが、本発明の装置を有する一般的なハウジングに含まれることが可能である。しかしながら、入力インターフェースを、有線又は無線接続で、又はインターネットを通じて遠隔測定デバイスに接続することも可能である。これにより、患者の１つのバイタルサインを示す１つの信号を取得することができる。しかしながら、同じバイタルサイン又は異なるバイタルサインを示す複数の信号を取得することも可能である。取得された少なくとも１つの入力信号に基づいて、健康状態パラメータが健康評価ユニットで決定される。この健康パラメータを取得するために、健康評価ユニットは、取得した少なくとも１つの入力信号に所定の処理を適用することができる。この適用された健康評価ユニットの処理を、現在の要件又はユーザ入力に基づいて適応させることもできる。
【００３８】
さらに別の実施形態において、入力インターフェースは、血圧測定デバイスから患者の血圧を示す入力信号を取得するように構成される。したがって、１つ又は複数の入力信号のうちの１つは、制御インターフェースを介して制御される血圧測定デバイスから取得される。例えば、前述した血圧計の圧力信号が入力信号を表す。血圧測定は、ある精度及び患者の快適性に関連する動作設定に基づいて測定される。この測定を使用して患者の血圧を取得し、そこから患者の健康状態についての情報を導出する。その後再び、この健康状態を評価して、そこから血圧測定を行うための動作設定を導出する。したがって、本実施形態は制御ループに対応し、すなわち血圧測定デバイスを制御するための閉制御ループを取得することができる。
【００３９】
別の実施形態において、入力インターフェースは、入力信号と、対応する正確度インジケータ、特にバイタルサインに関する入力信号の妥当性を示す標準偏差とを取得するように構成され、正確度インジケータはそれぞれの入力信号について予め定義されているか、又は現在の血圧測定値に基づいて連続的に更新される。この正確度インジケータは、取得した入力信号の現在の妥当性又は有意性又は説明能力を示す。正確度インジケータは、特定のタイプの入力信号について一定であってよい。正確度インジケータを現在の血圧測定値に基づいて連続的に更新することも可能である。ある測定値が所定の対応する正確度インジケータ値を有してもよい。好ましい実施形態において、標準偏差、特に推定標準偏差を正確度インジケータとして使用することができる。正確度インジケータを追加で使用する利点は、患者の現在の健康状態を導出するときに、現在受信されている入力信号の妥当性をさらに考慮に入れることができるようになることである。したがって、患者の健康状態を高い正確度で評価することができる。現在の血圧測定値がどれだけ正確であるか、又は正確であると考えられるかに応じて動作設定を決定することができるようになる。
【００４０】
さらに別の実施形態において、処理ユニットの少なくとも１つが、入力信号及び対応する正確度インジケータに基づいて１つ又は複数の動作設定を決定するように構成され、健康評価ユニットが、入力信号及び対応する正確度インジケータに基づいて健康状態パラメータを決定するように構成される。この正確度インジケータを、１つ又は複数の動作設定を決定するために処理ユニットで使用し、且つ／又は患者の健康状態パラメータを決定するときに健康評価ユニットで使用する。正確度インジケータをさらに考慮する場合に、処理ユニットにおける計算と健康評価ユニットにおける計算との両方を、より高い有意性をもって行うことができる。
【００４１】
さらに別の好ましい実施形態において、入力インターフェースは、少なくとも１つの入力信号に加えて、患者の病歴を示す、患者の医療記録データを取得するように構成され、健康評価ユニットは、少なくとも１つの入力信号に加えて、患者の医療記録データに基づいて健康状態パラメータを決定するように構成される。少なくとも１つの入力信号に加えて患者の医療記録データを考慮すると、患者の健康状態がより高い有意性をもって評価される。患者の医療記録に要約されたような病歴に応じて、患者のバイタルサインの現在の測定値を異なって解釈する必要がある。例えば、患者は一般に、健康状態の悪化を示すことなく低体温である場合がある。そのような情報が医療記録データに含まれる場合、この情報を考慮し、それに応じて健康状態パラメータを決定することができる。これにより、決定された健康状態パラメータの正確度又は有意性が高まる。特に、医療記録データは、患者の以前の健康状態に関連するいかなるデータも参照する。そのような医療記録データは、臨床情報システム又は医師などから取得する。医療記録データは、年齢、性別、体重などのパラメータにも関連する。
【００４２】
好ましい実施形態において、入力インターフェースは、血圧、血液酸素飽和度、体温、呼吸ガス中の二酸化炭素濃度、心拍数、脈波到達時間、脈波伝播時間、脈拍形態、及び患者の呼吸頻度を示す入力信号を取得するように構成される。基礎となるアルゴリズム及び応用に応じて、患者の異なるバイタルサインを示す複数の異なる入力信号から患者の現在の健康状態を導出することができる。１つの入力信号が異なるバイタルサインを示すこと、又は異なる入力信号が同じバイタルサインを示すことも可能である。このような場合にも、異なる入力信号を利用すること、又は同じ入力信号に基づいて異なるバイタルサインを決定して冗長性を取得する、且つ／又は正確度及び妥当性を高めることがなお有利となる。
【００４３】
さらに別の実施形態において、入力インターフェースが、少なくとも１つの入力信号に加えて、所定の治療方針を示すプロトコルパラメータを取得するように構成され、処理ユニットは、入力信号及びプロトコルパラメータに基づいて１つ又は複数の動作設定を決定するように構成される。そのようなプロトコルパラメータは、医師又は他の医療関係者により特定されたような治療方針を示す。例えば、病院は、患者のバイタルサインから導出されたような、患者のある健康状態が、その患者の血圧をある所定の動作設定に基づいて測定することを必要とすると特定する。例えば、そのようなプロトコルパラメータは、患者の収縮期血圧がある閾値よりも低い場合に、血圧の測定頻度を、例えば１０分ごとの測定まで高めることを示す。そのようなプロトコルパラメータは連続的に更新され、又はより長い期間について１度で取得される。
【００４４】
実施形態において、制御インターフェースは、患者の肢に当てる膨張式カフと、膨張式カフの圧力を示す圧力信号を供給する圧力センサとを含む血圧計用の制御信号を供給するように構成され、処理ユニットは、測定中に膨張式カフの最高圧力を示すパラメータ、測定中に膨張式カフが膨張する持続時間を示すパラメータ、測定中に加えられる圧力の積分を示すパラメータ、及び検出される心拍数を示すパラメータのうちの少なくとも１つを含む１つ又は複数の動作設定を決定するように構成される。
【００４５】
本明細書で使用される場合、動作設定は、測定時に作用するパラメータ、すなわち行われる測定の特性を定義するパラメータを含む。個々の測定は、これらのパラメータについて行われる。動作設定は、測定、すなわち血圧測定デバイスの構成、又は言い換えると、測定の特性に直接関連する。したがって、動作設定は、測定がどのように行われるかに直接影響を与える。通常、これにより、動作設定は、各測定を行うためにデバイスがどのように制御されるかを定義する。動作設定は、ある患者の快適性及びある測定精度を示す。通常、精度が高いほど患者の快適性が低いことを示す。処理ユニットは、どの測定精度が現在の状況に必要であるかを決定し、適切な動作設定を決定する。特に、一連の測定のうちのすべての測定を、異なる個々に決定された動作設定に基づいて行うことが可能である。これにより、一連の測定のうちのすべての測定が、患者にとってできるだけ快適なものとなり、現在の状況について十分な精度を有する。
【００４６】
本発明のこれら及びその他の態様が、以下で説明する実施形態から明らかになり、実施形態を参照して説明される。
【図面の簡単な説明】
【００４７】
【図１】本発明の態様による、患者をモニタリングするためのシステムの応用状況の概略図である。
【図２】測定頻度の関数としての血圧測定の精度及び患者の快適性の概略図である。
【図３】本発明の態様による、血圧測定デバイス用の制御信号を供給するための装置の実施形態の概略図である。
【図４】本発明による装置の別の実施形態の概略図である。
【図５】早期警告システムのスコアリングカードの例を示す図である。
【図６】患者の心拍数及び血圧に基づく、早期警告システムにおける患者の状態の評価の例を示す図である。
【図７】異なる精度で行われた血圧測定の確率密度、及びその早期警告システムへの影響の例を示す図である。
【図８】精度が変化する測定血圧の関数としての早期警告システムの平均リスクスコアを示す概略図である。
【図９】血圧測定のいくつかの破棄サンプリング点の関数として異なるモデルを用いて決定されたような、結果として得られる精度の例を示す概略図である。
【図１０】血圧測定の精度と測定速度との関係を示す概略図である。
【図１１】血圧測定サロゲートを表す脈波到達時間の増加によって示される血圧の低下の例を示す概略図である。
【図１２】連続モニタリング期間中の患者の血圧測定値とサロゲート血圧測定値を表す脈波到達時間とを示す概略図である。
【図１３】血圧測定の精度を特定の早期警告システムのスコアリングシステムに適応させる方法を示す概略図である。
【図１４】プロトコルパラメータに基づいて血圧測定の精度を適応させる概念を示す概略図である。
【図１５】本発明の態様による方法を示す概略図である。
【発明を実施するための形態】
【００４８】
中重症度及び低重症度設定における患者のモニタリングへの関心が高まっている。図１に、患者１２をモニタリングするためのシステム１０の一般的な概念が示される。例えば、これは低重症度ケア設定などの臨床モニタリング設定における患者１２であり、この患者は、連続的にモニタリングされるか、スポットチェックに基づいてモニタリングされる。在宅ケアの状況にある患者、リハビリテーション施設にいる人、又は高齢者治療室にいる人などをモニタリングすることもできる。さらにまた、フィットネスアプリケーションを（家庭又はスタジオなどで）使用している人をモニタリングすることができる。
【００４９】
特に、図１に示すようなシステム１０は、センサ１４、１６を用いて患者の健康状態を評価する病院の早期警告スコアリング（ＥＷＳ）システムに対応し、患者の健康状態をモニタリングする。本発明の状況において、１つのセンサが血圧測定デバイス１４に対応する。センサ１４、１６の出力に基づいて、患者１２の病状を示す健康状態パラメータが決定される。本発明による装置１８は、血圧測定デバイス１６を制御するための制御信号を供給するそのようなシステム１０に含まれる。
【００５０】
実施形態に応じて、装置１８は、システム１０と通信しても、システム１０と一体化されていてもよい。装置１８は、患者１２の健康状態を決定する機能を含むことができる。装置１８は、病院の既存のＥＷＳシステムなどの、患者の健康状態についての情報を既に提供しているシステムと通信することもできる。
【００５１】
ほとんどのモニタリング状況において、モニタリングする１つの重要なパラメータは、患者の血圧（収縮期血圧及び／又は拡張期血圧及び／又は平均動脈圧）である。対応する血圧測定デバイスは、動作設定に基づいて制御される。これらの動作設定に応じて、測定は、患者の高い快適性又は低い快適性をもたらし、高い精度又は低い精度の測定となる。一方で、モニタリングが患者の病状を十分に正確に評価することが望ましい。しかしながら、測定が患者の快適性に影響を与えすぎないことも望ましい。
【００５２】
本発明は、このような患者の快適性と血圧測定の測定精度との関係を利用することを提案する。血圧測定デバイス１４を動作させる際に基づく動作設定が、患者１２の健康状態を考慮して選択される。このアイデアを図２の例に基づいて示す。
【００５３】
図は、患者に対して行われた血圧測定の精度２０を、測定頻度ｆの関数として、すなわちどのくらい頻繁に血圧が実際に測定されているかの関数として示す。測定頻度が高いほど精度２０が高くなる。また、同じく測定頻度ｆの関数である患者の快適性２２が示される。膨張式カフを高い頻度で膨張及び収縮させると、患者に苦痛を与えることが増え、例えば、患者は膨張式カフにより生じる痛み又は皮膚への刺激に悩まされる。測定精度２０と患者の快適性２２とは、通常、血圧測定デバイスの動作パラメータの相反する関数である。これは、血圧測定デバイスのほとんどの動作設定に当てはまる。
【００５４】
図１に戻り、血圧測定デバイス１４は、膨張式アームカフを含む血圧計に特に対応する。このようなデバイスは、膨張式カフを用いて加えられる外圧により患者の肢を圧縮することに基づいて測定を行う。この処置は患者にとって不快であり、患者に痛みを与えることもある。特に、血圧計を用いて行われる血圧測定により、膨張による痛み、膨張式カフの下の皮膚への刺激、血腫、及び／又は患者１２の睡眠中に測定を行う場合に睡眠障害を生じさせる。血圧計を制御して低い精度の測定を行うことにより、患者の快適性への影響を減らすことができる。
【００５５】
以下で、本発明のアイデアを、例示の目的で血圧計である血圧測定デバイスについて説明する。しかしながら、本発明の概念は血圧計に限定されず、他の血圧測定の原則、特に非侵襲的血圧測定の原則にも当てはまることを理解されたい。
【００５６】
血圧計の動作設定は、測定頻度、膨張式カフを膨張させる最高圧力、膨張式カフを膨張させる持続時間などのパラメータを含む。一方で、これらの動作設定は患者の快適性に関連する。他方で、これらの動作設定は、このような動作設定に基づいて行われる血圧測定の精度に関連する。複数の異なる実施形態が、動作設定、例えば血圧測定の早期の停止、血圧測定の延期、膨張対収縮の戦略の決定、他のパラメータによる作動などに関して可能である。例えば、患者の血圧がより高頻度で、すなわちより頻繁に測定される場合、血圧を高い正確度又は精度でモニタリングする。また、膨張式カフをより長い時間膨張させたままにする場合、患者のより多くの心拍が検出されるため、測定の妥当性が高くなる。さらに、カフ収縮中に患者の収縮期血圧（ＳＢＰ）の測定を行うことが一般的である。しかしながら、カフ膨張中に行われる測定からの、低い精度の、すなわち高い標準偏差を有するＳＢＰ測定値を取得することも可能である。したがって、カフ膨張中に行われる測定に対応する動作設定を決定することにより、患者の快適性を高めることもできる。本発明の実施形態により血圧測定をどのように行うかについてのさらなる詳細を以下に提示する。
【００５７】
さらなるバイタルサインセンサ１６は、患者１２の皮膚部分の反射光を示す信号を取得するため、且つその信号から心拍数、血液酸素飽和度、脈拍数、呼吸数、又は活動レベルを導出するためのカメラ又は別のデバイスを含む。さらに、バイタルサインセンサは、例えば、血液酸素飽和度を測定するために患者１２の手首又は指に当てるＳｐＯ２センサ、脈拍数、呼吸数、及び／又は姿勢及び活動情報を検出するための、患者１２の心尖位置にある加速度計、体温センサ、ＥＣＧセンサなども含む。血圧測定デバイス１４及びさらなるバイタルサインセンサ１６は、装置１８と有線又は無線接続される。
【００５８】
通常、医師、他の医療関係者、又は患者自身などのユーザがシステム１０及び／又は装置１８と対話する際に用いるユーザインターフェース１９（例えばスクリーン若しくはウェブページなど）も設けられている。
【００５９】
図３は、本発明の態様による血圧測定デバイス１４用の制御信号を供給するための装置１８をさらに詳細に示す。特に、本発明の装置１８は、既存のモニタリングシステム２３と通信し、そのようなシステムで決定された健康状態パラメータに依拠する。
【００６０】
そのようなシステムにおいて、患者の健康状態パラメータは、血圧測定デバイス１４の信号に基づいて、且つ／又はさらなるバイタルサインセンサの信号に基づいて決定される。この健康状態パラメータは、患者の病状の程度を表す。特に、健康状態パラメータは、患者１２が重篤な健康状態にあり、綿密な監視が必要であるかどうか、又は患者１２の病状が重篤でなく、患者を連続的にモニタリングする必要がないかどうかを示す。そのような健康状態パラメータは、例えば、患者１２の健康状態を１〜１０のスケールなどの所定のスケールで示すリスクスコアを含み、スコア１は重篤でない健康状態を示し、スコア１０は患者１２の重篤な状態を示す。
【００６１】
装置１８は、患者の健康状態を示す健康状態パラメータを取得するように構成された入力インターフェース２４を含む。この健康状態パラメータは、その後、処理ユニット２８において血圧測定デバイス１４の動作設定を決定するための基礎を形成する。これらの動作設定は、一方で血圧測定の精度に関連し、他方で患者の快適性に関連する。
【００６２】
装置１８は、制御インターフェース３０をさらに含み、この制御インターフェース３０を介して制御信号を供給して、決定された１つ又は複数の動作設定に基づいて血圧測定を行うように血圧測定デバイス１４を制御する。
【００６３】
図３に示すような装置１８を、例えば、血圧測定デバイスに組み入れてもよい。或いは、図示した装置１８をスマートフォンなどの手持ち式のデバイス又はベッドサイドモニタなどに組み入れることもできる。
【００６４】
図４に、本発明の別の実施形態が示される。装置１８はモニタリングシステム１０に組み込まれている。上記と比較して、装置１８は、患者１２の健康状態を決定する健康評価ユニット２６をさらに含む。入力インターフェース２４は、バイタルサインセンサ１６の１つ又は複数に直接接続される。センサは、１つ又は複数の入力信号を供給する。入力信号は健康評価ユニット２６で評価され、健康状態パラメータが決定される。この健康状態パラメータは、その後、処理ユニット２８の動作設定を決定するための基礎となる。
【００６５】
本実施形態は、病院情報システムに組み込まれた装置１８に対応する。例えば、装置は、病院のセントラルサーバで動作するソフトウェアに部分的又は完全に実装される。
【００６６】
好ましい実施形態において、血圧測定デバイス１４は、入力センサの一部を形成し（図３及び図４に破線で示すように）、すなわち健康状態パラメータを決定するための入力として使用される信号を供給することができる。したがって、患者の収縮期血圧を示す入力信号が使用される。
【００６７】
好ましくは、入力インターフェースは、それぞれの入力信号の正確度又は信頼性を示す正確度インジケータを取得するようにさらに構成される。例えば、センサ信号の標準偏差を取得する。
【００６８】
図５に、ＥＷＳシステムとして使用されるような早期警告システムのスコアリングカード３２の例が示される。そのようなカード３２を用いて、リスクスコアを異なるバイタルサイン（心拍数、血圧、呼吸頻度、及び体温）に基づいて決定する。また、患者の意識があるかどうか、患者が十分に水分をとっているかどうかなどのさらなる情報が含まれる。異なる所定の範囲に対応するスコアを合計することにより、異なるパラメータからスコアを導出する。例えば、心拍数１０５はリスクスコアに１ポイントを与え、又は収縮期血圧１０１〜２００はいかなるポイントも与えない。リスクスコアは、異なるバイタルサイン及び他のパラメータに対応するポイント又はスコアを合計することにより決定される。
【００６９】
リスクスコアは、本発明の装置の処理ユニットの動作設定を決定するための基礎として使用される健康状態パラメータに対応する。
【００７０】
図示したスコアリングカードは、手動評価（例えば医師による）のシステムで使用される。リスクスコアを決定した後、入力インターフェース（これは、例えば、スマートフォンアプリ、タッチスクリーン、又は血圧測定デバイスの他のインターフェースの形で実装される）を介してこのリスクスコアを本発明の装置に供給することができる。
【００７１】
同じ機能を自動で行ってもよい。言い換えると、健康状態パラメータを表すリスクスコアを、ルックアップテーブルの動作に基づいて決定する。これは、例えば本発明の装置における健康評価ユニットにより行われる。異なる入力信号を取得し、取得した入力信号及び対応するバイタルサインごとに、ルックアップ動作を行い、総合スコアを決定する。
【００７２】
しかしながら、他の実施形態において、少なくとも１つの取得した入力信号に基づいてスコアを直接導出できる関数を用いて健康状態パラメータを決定することも可能である。
【００７３】
そのようなリスクスコアに基づいて、処理ユニットは、例えば、決定されたリスクスコアが３未満のままであれば、比較的低い精度に関連するが患者の比較的高い快適性に関連する動作設定を決定するように構成される。
【００７４】
本発明の好ましい実施形態において、動作設定は、測定の精度がＥＷＳで決定されるリスクスコアにどのように実際に影響するかに基づいて決定される。現在の健康状態パラメータ（例えば現在の血圧）に基づいて、高い精度の測定が決定されるリスクスコアに全く影響しないと決定された場合には、患者の快適性の低下を受容する必要はない。
【００７５】
図６では、患者の状態評価の２次元表示が示される。ｘ軸は患者の心拍数を表す。ｙ軸は患者のＳＢＰを表す。患者の健康状態を、２つのバイタルサインの関数として定義する。図６に示すように、患者が現在、危険な状態にないことを示す安全ゾーン３４がある。さらに、患者の健康状態の悪化についての高いリスクを示す高リスクゾーン３６がある。関数３８が安全ゾーン３４及び高リスクゾーン３６から出ると、これは患者のショック状態を示す。本発明に関して、異なるゾーンは健康状態パラメータの値に対応するものと考えられる。これにより、実際に測定された収縮期血圧又は推定された収縮期血圧を使用することができる。
【００７６】
血圧測定デバイスを用いて行われる血圧測定の精度を捉える１つの手法は、標準偏差を考慮することである。図７に、リスクスコアＲＳ（健康状態パラメータに対応する、又は健康状態パラメータを決定する際に基づく入力信号を形成する）を割り当てるための、血圧測定デバイスの測定精度の影響力が示される。リスクスコアＲＳがＳＢＰの関数であることが示される。さらに、２つのシミュレーション測定Ｍ１、Ｍ２が確率密度とともに示される。測定Ｍ２は測定Ｍ１とは異なる精度、すなわち測定Ｍ１よりも高い標準偏差を有することがわかる。両方が同じ平均値を有する。測定Ｍ１は、第１のセットの動作設定に基づいて動作させた血圧測定デバイスの出力である。測定Ｍ２は、第２のセットの動作設定に基づいて動作させた血圧測定デバイスの出力である。
【００７７】
両測定Ｍ１、Ｍ２は、ゼロのリスクスコアの確率をカバーする。この状況において、測定精度は異なるが、ゼロのリスクスコアを両測定に割り当てることができた。しかしながら、収縮期血圧が約２００ｍｍＨｇである場合、異なる精度がより重要になる。所与の固有の精度を有する複数の収縮期血圧測定及び特定のスコアリングシステムについて報告されている平均リスクスコアは、収縮期血圧測定の知られた確率分布又は仮定の確率分布を、
【数１】
2020195813.tif 000003
に従ってリスクスコアに積分することによって定義される。
【００７８】
この定義を使用すると、異なる精度の収縮期血圧測定についてのリスクスコアが計算される。
【００７９】
図８は、上に示した式に基づいて異なる精度（標準偏差）について計算された平均収縮期血圧測定リスクスコアを示す。リスクスコアをできるだけ綿密に再現するために、２ｍｍＨｇの標準偏差を有する非常に高い精度が、ＥＷＳスコアの変化する範囲内で測定される収縮期血圧値に必要であることがわかる。図８に示すように、現在の非侵襲的血圧測定は約８ｍｍＨｇの精度を有することに留意すべきである。この線を、血圧測定の測定精度を適応させるための改良された方法の基準として使用することができる。
【００８０】
したがって、言い換えると、本発明によれば、健康状態パラメータ（図７に示す例のＳＢＰに実際に対応する）を、動作設定（測定の精度、すなわち図７に示す標準偏差を定義する）を決定するための入力として使用できるようになる。正確なリスクスコアを提供するために、ＳＢＰが約８０ｍｍＨｇ又は約２００ｍｍＨｇである限り、高い精度の測定を行う（すなわち対応する動作設定を決定する）必要がある。ＳＢＰが１２０〜１６０であれば、高い精度の測定及び低い精度の測定についてリスクスコアがゼロであるため、高精度は必要ない。
【００８１】
血圧計を用いて取得される血圧測定の精度を適応させるための１つの選択肢は、信号包絡線が作成されるときに、少ない脈拍を考慮することである。これは図９に示され、ここでは測定中に検出された脈拍が連続して除去される。ＳＢＰは、異なる最新のアルゴリズムにより推測される。サンプリング点の高い部分がすべての異なるアルゴリズムについて破棄されると、測定の精度が低下することがわかる。再び、精度を測定の標準偏差に関して表す（ｙ軸に示される）。したがって、動作設定は、少ない脈拍が考慮されることを反映する。
【００８２】
サンプリング点を破棄する手順は、患者の心拍数に応じた高い速度で膨張式カフを膨張又は収縮させることに対応する。少ない脈拍が検出されると、測定精度は低下する。脈拍の５０％が測定中に破棄されると、５０％短い測定時間が得られる。測定精度対測定速度の一般的な関係が図１０に示される。
【００８３】
別の選択肢は、Ｎｉｔｚａｎ他、「Ａｕｔｏｍａｔｉｃ  Ｎｏｎ−Ｉｎｖａｓｉｖｅ  Ｍｅａｓｕｒｅｍｅｎｔ  ｏｆ  Ｓｙｓｔｏｌｉｃ  Ｂｌｏｏｄ  Ｐｒｅｓｓｕｒｅ  ｕｓｉｎｇ  Ｐｈｏｔｏｐｌｅｔｈｙｓｍｏｇｒａｐｈｙ」、２００９、及びＮｉｔｚａｎ他、「Ｃｏｍｐａｒｉｓｏｎ  ｏｆ  Ｓｙｓｔｏｌｉｃ  Ｂｌｏｏｄ  Ｐｒｅｓｓｕｒｅ  Ｖａｌｕｅｓ  Ｏｂｔａｉｎｅｄ  ｂｙ  Ｐｈｏｔｏｐｌｅｔｈｙｓｍｏｇｒａｐｈｙ  ａｎｄ  ｂｙ  Ｋｏｒｏｔｋｏｆｆ  Ｓｏｕｎｄｓ」、Ｓｅｎｓｏｒｓ  ２０１３に示すような光電式容積脈波記録測定などのさらなる脈拍検出方法を含むことにより、測定精度を高めることである。本発明によれば、患者の１つ又は複数のバイタルサインを示す異なる入力信号を利用することができる。
【００８４】
したがって、上記で概要を述べた洞察に基づいて、例えばＳＢＰがある範囲内にあると予想される場合に測定時間を短くすることにより、患者の高快適性で同様のＥＷＳ通知性能を維持しているにもかかわらず、血圧測定の精度を適応させることができる。言い換えると、適応状況特定の血圧測定精度を使用して、例えばＳＢＰがある範囲内にある、又はあると予想される場合に測定時間を短くすることにより、患者の高快適性で同様のＥＷＳ通知性能を維持する。
【００８５】
特に、収縮期血圧の血圧測定値を取得するための３つの手法を以下に示す。これらの手法を、対応する動作設定を用いて定義することができる。
【００８６】
１）包絡線の外挿からＳＢＰを連続的に推測することにより、カフ膨張中にＳＢＰを推測する。ＥＷＳスコア通知性能の所定の受容レベルに関連する十分な精度のＳＢＰ値が推測されると、膨張を停止させる。必要であれば、例えば、不整脈により不十分な精度及び正確度のＳＢＰ測定値が得られた場合に収縮測定モードに切り替えることにより、又は即座に収縮して、高い正確度及び精度をもたらす様式で測定を繰り返すことにより、プロセスを適応させる。
【００８７】
２）膨張中に信号包絡線から抽出された拡張期血圧（ＤＢＰ）及び平均動脈圧（ＭＢＰ）に基づく計算から、ＳＢＰを推測する。ＳＢＰ＝３ＭＢＰ−２ＤＢＰ及びΔＳＢＰ＝３ΔＭＢＰ＋２ΔＤＢＰに基づいて、ＳＢＰを計算する。この式を、年齢及び性別などの患者の特徴により適応させる。そのようなパラメータは医療記録データに含まれる。ＳＢＰ精度を、カフ膨張中に決定されたΔＭＢＰ及びΔＤＢＰの精度から推定する。再び、例えば、不整脈（健康状態パラメータによっても示される）により不十分な精度及び正確度のＳＢＰ測定値が得られた場合に収縮測定モードに切り替えることにより、又は即座に収縮して、高い正確度及び精度をもたらす様式で測定を繰り返すことにより、プロセスを適応させる。
【００８８】
変形例として、カフベースの血圧測定方法（例えば聴診法による）を用いてＤＢＰが測定されるが、ＭＢＰはサロゲート測定値に基づいて推測されるようにする動作設定を決定することも可能である。本実施形態において、最高カフ圧を測定時間とともに低下させることにより、患者の快適性を大幅に高める。
【００８９】
３）先に報告された血圧測定値又は血圧サロゲート（健康状態パラメータ）が患者の状態の変化を示す場合に、血圧測定の正確度／精度を自動で適応させる（すなわち対応する動作設定を提供する）ことができる。例えば、先に取得した血圧測定値が血圧の低下／上昇を示す場合には、高い正確度／精度が必要である。
【００９０】
第１の変形例において、患者の状態についての追加の情報が、脈拍、呼吸数、活動を測定する、下胸部にあるセンサ、又は（ＳｐＯ２、脈拍）を測定するための光電式容積脈波記録センサなどの、１つ又は複数の入力信号を供給する相補センサ又はセンサシステムから取得される。
【００９１】
別の変形例において、脈波伝播時間（ＰＴＴ）又は脈波到達時間（ＰＡＴ）、光電式容積脈波記録（ＰＰＧ）などからの形態特徴などのＢＰサロゲートからの情報が、血圧測定性能を適応させる基礎として使用可能な患者の健康状態の安定／不安定／重篤傾向を示す。図１１に、ＳＢＰの低下（上図）を示すＰＡＴ（下図）の増加の例が示される。これを、血圧測定（高い測定精度の血圧測定がおそらく必要である）の動作設定を決定するために考慮する。
【００９２】
図１１に示すように、ＳＢＰの低下（上図）がＳＢＰサロゲート（下図、ここではＰＡＴが示される）により示される。ＰＡＴは、２９００秒〜３１００秒の時間間隔内で約２０ミリ秒増加し、これは２０ｍｍＨｇという大幅なＳＢＰの低下の傾向を示す。このＰＡＴ変化を使用して、次の血圧測定の精度（すなわち次の血圧測定の動作設定を決定するときの入力信号としての）を適応させる。必要な血圧精度は、ルックアップテーブル又は関数関係から推定される。例えばＰＰＧのみから導出される代替血圧サロゲートを使用してもよい。
【００９３】
代替として、ＢＰサロゲートの変化を使用してＭＢＰを推定し、カフベースの測定方法（例えば聴診法）によりＤＢＰを測定する。その後、ＳＢＰを上で論じたようにＭＢＰ及びＤＢＰから推測する。本実施形態において、最高カフ圧が測定時間とともに低下するため、患者の快適性が大幅に高まる。
【００９４】
さらに代替として、図１２に示すように、ＳＢＰ測定サロゲートＰＡＴ（下図）が、先の血圧測定と比較して患者の状態の変化（健康状態パラメータに対応する）が全くない、又は少ししかないことを示す場合、高い測定速度又は特定の測定様式に関連する動作設定を決定する。上図では、連続モニタリング期間中の患者のＳＢＰ変化が示される。下図では、ＳＢＰサロゲート測定値としてのＰＡＴが変化する。この例では、ＳＢＰは１５０ｍｍＨｇのままであり、ＥＷＳスコアに関してスコア０に換算される。ＳＢＰサロゲートとしてのＰＡＴは、安定したＳＢＰを示す２７０ミリ秒（±１０ミリ秒）の範囲内にとどまる。
【００９５】
４）血圧測定精度を適応させて患者の快適性を最適化するように、病院用ＥＷＳスコアリングシステムに基づく精度マップが定義される。ＥＷＳスコアリングシステムは病院によって異なり、ある病院は血圧測定速度対患者の快適性を患者の特定の状況に適応させる。ある病院は、ある方針を特定し、対応するプロトコルパラメータを供給する。その目的で、病院の特定のＥＷＳスコアリングシステムに血圧測定精度対患者の快適性を適応させるためのシステム及び方法について説明する。
【００９６】
図１３の上図では、血圧測定精度を特定のＥＷＳスコアリングシステムに適応させるための方法の例が示される。必要な測定値はＳＢＰ値の関数である（上図）。患者のリスクが低い範囲（健康状態パラメータにより示されるような）では低精度が必要とされる。標準偏差はＳＢＰに応じて決まる。これは、病院又は特定の患者の必要に従って選択される。中図では、８ｍｍＨｇの一定精度（破線）について、及び適応精度（一点鎖線）についての、すなわち上図のｓｄｔを使用する、報告された平均ＥＷＳスコアが提示される。報告されたＥＷＳスコアの性能差（一定ｓｄｔ−適応ｓｄｔ）が下図に示される。明らかに、本明細書で提案されたような適応精度によるいくらかの性能低下がある。しかしながら、この低下は定量化され、病院は適切な実施を決定する。性能低下は、高速のＳＢＰ測定による患者の高い快適性によって平衡される。この知識は、測定精度（標準偏差により表される）を上図に示すような健康状態パラメータ（ＳＢＰに対応する）の関数として特定するプロトコルパラメータを用いて、本発明の装置又はシステムに導入される。
【００９７】
図１４で、実際のＥＷＳプロトコルに基づいて血圧測定を適応させる一般的な概念が、患者の不快感及び患者の病状の程度を考慮して使用されている。測定の正確度／精度対患者の快適性の自動連続最適化が、制御ループと見なされる。コントローラに供給されるエラー信号は、実際／現在のＢＰ確率分布の差であり、どのプロトコルであってもそのような分布を可能にする（例えばプロトコルパラメータにより表されるようなプロトコルは、１６０ｍｍＨｇ＞ＳＢＰ＞９０ｍｍＨｇの確率が少なくとも８５％である限り、ＳＢＰ＞１６０ｍｍＨｇの１０％確率まで可能であるなど）。エラー信号（正確度インジケータに対応する）に基づいて、コントローラはいかなる血圧作動（例えばポンプ、弁の作動）が行われたかどうか、いつどのように行われたかを決定し、すなわち適切な動作設定を決定する。血圧作動が変化すると、患者の病状の可観測性並びに患者の快適性との両方が影響される。現在のＢＰ確率分布は、検知された血圧信号から導出されるが、他の入力信号（例えばＰＴＴ、ＨＲなどを表す信号）も可能である。
【００９８】
このシステムは、最低限必要な血圧作動に向けて制御することにより、想定される最適化を原理上実現することに留意されたい。健康状態及び正確度パラメータに応じて、最低限必要な精度（及び最大限の患者の快適性）に関連する動作設定が決定される。実際には、検知部分のノイズに対処する（ループを安定させる）ためにいくらかの減衰及び／又は遅延が必要である。
【００９９】
したがって、プロトコルパラメータを入力として使用することもできる。このプロトコルパラメータを、入力インターフェースを介して取得する。このプロトコルパラメータは、治療方針を示し、１つ又は複数の動作設定を決定するために含まれる。例えば、そのようなプロトコルパラメータは、患者が重篤でない健康状態にあると考えられる場合のみ、カフ膨張中に血圧測定を行うことを示す。これは、患者が３未満のリスクスコアを有する場合に当てはまる。このプロトコルパラメータは、特定の患者について医師により供給され、又は長期研究などに基づいてケア施設に対して定義されたような一般的な治療方針を示す。
【０１００】
本発明の別の実施形態において、入力インターフェースは、少なくとも１つの入力信号に加えて患者の医療記録データも取得するように構成されていてもよい。そのような医療記録データは、患者の病歴に対応する。例えば、てんかん又は他の病状の病歴を有する患者は、現在重篤でない状態にあることを示すバイタルサインにかかわらず、常に高精度でモニタリングする必要がある。医療記録データにより、そのような以前の知識にも基づいて健康状態パラメータを決定することができる。その後、適切な動作設定が決定される。
【０１０１】
図１５に、本発明の態様による方法が示される。方法は、それに基づいて健康状態パラメータを取得するステップＳ１０、健康状態パラメータに基づいて血圧測定デバイスの１つ又は複数の動作設定を決定するステップＳ１２、及び血圧測定デバイス用の制御信号を供給して、前記１つ又は複数の動作設定に基づいて血圧測定を行うステップＳ１４とを含む。
【０１０２】
本発明による方法は、例えばプロセッサにより実施される。このプロセッサは、例えば、病院又は一般病棟環境で使用する早期警告システムに組み込まれる。
【０１０３】
本発明の実施形態において、入力インターフェースは、少なくとも１つの健康状態パラメータを取得するように構成されることが可能である。健康状態パラメータはリスクスコアによって表される。健康状態パラメータはバイタルサイン信号によっても表される。
【０１０４】
本明細書で使用される場合、血圧測定デバイスは、特に非侵襲的血圧測定デバイス、特に血圧計で表される。しかしながら、本発明の基礎となるアイデアを他のタイプのデバイス及び他の測定原理とともに利用してもよい。
【０１０５】
本発明の装置を血圧測定デバイスに組み入れる。本発明の装置を患者モニタリングシステムに組み入れても、ネットワークベースの病院情報システムに組み入れてもよい。本発明の装置を他の形で組み入れてもよい。
【０１０６】
図面及び上記の説明において本発明を詳細に図示し説明したが、そのような図示及び説明は説明的又は例示的なものであり限定的なものではないと考えられる。本発明は開示された実施形態に限定されない。図面、開示、及び添付の特許請求の範囲を検討することにより、開示された実施形態に対する他の変形形態が、特許請求された発明の実践時に当業者により理解され実行される。
【０１０７】
特許請求の範囲において、「含む（ｃｏｍｐｒｉｓｉｎｇ）」という用語は、他の要素又はステップを除外するものではなく、不定冠詞「ａ」又は「ａｎ」は複数を除外するものではない。単一の要素又は他の部分は、特許請求の範囲に記載された、いくつかの項目の機能を果たす。ある手段が相互に異なる従属請求項に記載されているというだけで、それらの手段の組合せを有利に使用できないことを示すものではない。
【０１０８】
コンピュータプログラムは、他のハードウェアとともに、又はその一部として提供される光学式記憶媒体又は固体媒体などの適切な非一過性の媒体に記憶され／配布されるが、インターネット又は他の有線若しくは無線通信システムを介してなどの他の形で配布されてもよい。
【０１０９】
特許請求の範囲の参照符号は、範囲を限定するものと解釈すべきではない。
【図１】
2020195813.tif 000004
【図２】
2020195813.tif 000005
【図３】
2020195813.tif 000006
【図４】
2020195813.tif 000007
【図５】
2020195813.tif 000008
【図６】
2020195813.tif 000009
【図７】
2020195813.tif 000010
【図８】
2020195813.tif 000011
【図９】
2020195813.tif 000012
【図１０】
2020195813.tif 000013
【図１１】
2020195813.tif 000014
【図１２】
2020195813.tif 000015
【図１３】
2020195813.tif 000016
【図１４】
2020195813.tif 000017
【図１５】
2020195813.tif 000018
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
患者の肢に当てる膨張式カフと、前記膨張式カフの圧力を示す圧力信号を供給する圧力センサとを有する血圧計を含む血圧測定デバイス用の制御信号を供給するための装置であって、
前記患者の健康状態を示す健康状態パラメータを取得するための入力インターフェースと、
前記健康状態パラメータに基づいて前記血圧測定デバイスの１つ又は複数の動作設定を決定するための処理ユニットであって、前記１つ又は複数の動作設定が、前記血圧測定デバイスにより血圧測定を行うときに前記血圧測定デバイスで調節できるパラメータであって、前記血圧測定の精度及び前記血圧測定による患者の快適性に影響する当該パラメータを含み、前記処理ユニットは、前記健康状態パラメータが前記患者の重篤でない健康状態を示すときに、低い精度と患者の高い快適性とに関連する１つ又は複数の動作設定を決定し、前記健康状態パラメータが前記患者の健康状態の悪化を示すときに、高い精度と患者の低い快適性とに関連する１つ又は複数の動作設定を決定し、前記１つ又は複数の動作設定は、測定中に前記膨張式カフの最高圧力を示すパラメータ、測定中に前記膨張式カフが膨張する持続時間を示すパラメータ、測定中に加えられる圧力の積分を示すパラメータ、及び検出される心拍数を示すパラメータのうちの少なくとも１つを含む、処理ユニットと、
前記１つ又は複数の動作設定に基づいて血圧測定を行うための前記血圧測定デバイス用の制御信号を供給する制御インターフェースとを含む、装置。
【請求項２】
前記入力インターフェースは、前記患者の健康状態を所定のスケールで示すリスクスコアを取得し、所定の閾値よりも低い前記リスクスコアは前記患者の重篤でない健康状態を示し、前記所定の閾値よりも高い前記リスクスコアは前記患者の健康状態の悪化を示す、請求項１に記載の装置。
【請求項３】
前記処理ユニットは、前記膨張式カフの収縮中に、前記患者の収縮期血圧が標準的方法、特に聴診法又はオシロメトリック法に基づいて推測されることにより、前記高い精度及び患者の前記低い快適性に関連する１つ又は複数の動作設定を決定する、請求項１に記載の装置。
【請求項４】
前記処理ユニットは、前記患者の収縮期血圧が、
カフ膨張中の前記圧力信号の信号包絡線の外挿、
カフ膨張中の前記圧力信号の信号包絡線からの拡張期血圧及び平均動脈圧の抽出、並びに、
カフ膨張中の前記圧力信号の信号包絡線からの拡張期血圧の抽出、及び前記患者のサロゲート血圧測定値に対応する前記患者のバイタルサイン、特に、少なくとも１つの追加の信号、特に光電式容積脈波記録信号及び／若しくは心電図から導出された脈波伝播時間又は脈波到達時間からの平均動脈圧の抽出
のうちの少なくとも１つに基づいて推測されることにより、前記低い精度及び患者の前記高い快適性に関連する１つ又は複数の動作設定を決定する、
請求項１に記載の装置。
【請求項５】
前記入力インターフェースは、患者のバイタルサインを示す少なくとも１つの入力信号を取得し、前記装置は、前記少なくとも１つの入力信号に基づいて前記患者の健康状態を示す健康状態パラメータを決定するための健康評価ユニットをさらに含む、請求項１に記載の装置。
【請求項６】
前記入力インターフェースは、
前記血圧測定デバイスから前記患者の血圧を示す入力信号を取得し、及び／又は、
入力信号と、対応する正確度インジケータ、特に前記バイタルサインに関する前記入力信号の妥当性を示す標準偏差とを取得し、前記正確度インジケータはそれぞれの入力信号について予め定義されているか、又は現在の血圧測定値に基づいて連続的に更新される、
請求項５に記載の装置。
【請求項７】
前記処理ユニットが、前記入力信号及び対応する前記正確度インジケータに基づいて前記１つ又は複数の動作設定を決定することと、
前記健康評価ユニットが、前記入力信号及び前記対応する正確度インジケータに基づいて前記健康状態パラメータを決定することとのうちの少なくとも一方を実行する、
請求項６に記載の装置。
【請求項８】
前記入力インターフェースは、前記少なくとも１つの入力信号に加えて、前記患者の病歴を示す、前記患者の医療記録データを取得し、
前記健康評価ユニットは、前記少なくとも１つの入力信号に加えて、前記患者の前記医療記録データに基づいて前記健康状態パラメータを決定する、
請求項５に記載の装置。
【請求項９】
前記入力インターフェースは、血圧、血液酸素飽和度、体温、呼吸ガス中の二酸化炭素濃度、心拍数、脈波到達時間、脈波伝播時間、脈拍形態、又は前記患者の呼吸頻度を示す入力信号を取得する、請求項５に記載の装置。
【請求項１０】
前記入力インターフェースが、前記少なくとも１つの入力信号に加えて、所定の治療方針を示すプロトコルパラメータを取得し、
前記処理ユニットは、前記入力信号及び前記プロトコルパラメータに基づいて前記１つ又は複数の動作設定を決定する、
請求項５に記載の装置。
【請求項１１】
患者をモニタリングするためのシステムであって、
前記患者のバイタルサインを示す少なくとも１つの入力信号を供給するための少なくとも１つのバイタルサインセンサと、
前記少なくとも１つの入力信号に基づいて前記患者の健康状態を示す健康状態パラメータを決定するための健康評価ユニットと、
請求項１に記載の装置と、
前記患者の血圧測定を行うための血圧測定デバイスと、
決定された前記健康状態パラメータ及び／又は前記患者の血圧をユーザ、特に医師に供給するためのユーザインターフェースと
を含む、システム。
【請求項１２】
患者の肢に当てる膨張式カフと、前記膨張式カフの圧力を示す圧力信号を供給する圧力センサとを有する血圧計を含む血圧測定デバイス用の制御信号を供給するための方法であって、
前記患者の健康状態を示す健康状態パラメータを取得するステップと、
前記健康状態パラメータに基づいて血圧測定デバイスの１つ又は複数の動作設定を決定するステップであって、前記１つ又は複数の動作設定が、前記血圧測定デバイスにより血圧測定を行うときに前記血圧測定デバイスで調節できるパラメータであって、前記血圧測定の精度及び前記血圧測定による患者の快適性に影響する当該パラメータを含み、前記１つ又は複数の動作設定は、前記健康状態パラメータが前記患者の重篤でない健康状態を示すときに、低い精度と患者の高い快適性とに関連し、前記健康状態パラメータが前記患者の健康状態の悪化を示すときに、高い精度と患者の低い快適性とに関連し、前記１つ又は複数の動作設定は、測定中に前記膨張式カフの最高圧力を示すパラメータ、測定中に前記膨張式カフが膨張する持続時間を示すパラメータ、測定中に加えられる圧力の積分を示すパラメータ、及び検出される心拍数を示すパラメータのうちの少なくとも１つを含む、決定するステップと、
前記１つ又は複数の動作設定に基づいて血圧測定を行うための血圧測定デバイス用の制御信号を供給するステップと
を含む、血圧測定デバイス用の制御信号を供給するための方法。
【請求項１３】
コンピュータプログラムがコンピュータで実行されるとき、請求項１２に記載の方法の前記ステップを前記コンピュータに実行させるためのプログラムコードを含む、コンピュータプログラム。